(57)【要約】      （修正有）【課題】左右両側の周壁及び底板に一体的に形成されるとともに、前後両側の周壁が一体形成され、前後壁の一方又は両方の周壁である係合壁を、板板の辺に係合させる際、底板の辺部分の強度が十分に確保された包装用紙箱を提供する。【解決手段】方形状の底板２の四辺から立上る４つの周壁３，４を備え、向い合う一対の周壁３である左右壁を、底板２の左右辺にそれぞれ折目を介して連設し、向い合う他の一対の周壁４である前後壁を、互いの上端側同士が連接されるように形成し、該前後壁４の一方又は両方の下端部を係脱可能に底板２に係合させ、左右壁３を前後壁４の連接部１３側に係脱可能に係合させて包装用紙箱を形成する。さらに、底板２における係合壁４と係合させる側辺を、底板２の上面側に折返して重ね合せて接着することにより襞部８を形成する。【選択図】図１
0003174249.tif 000002
【実用新案登録請求の範囲】
【請求項１】
方形状の底板（２）と、底板（２）の四辺から底板（２）上方を覆う４つの周壁（３，３，４，４）を備え、向い合う一対の周壁（３，３）である左右壁を、底板（２）の左右辺にそれぞれ折目（７，７）を介して連設し、向い合う他の一対の周壁（４，４）である前後壁を、互いの上端側同士が連接されるように形成し、該前後壁（４，４）の少なくとも一方である係合壁の下端部を係脱可能に底板（２）に係合させ、左右壁（３，３）を前後壁（４，４）の連接部（１３）側に係脱可能に係合させた包装用紙箱において、底板（２）における係合壁（４）と係合させる側辺を、底板（２）の上面側に折返して重ね合せて接着することにより補強された襞部（８）を形成した包装用紙箱。
【請求項２】
前記折返された側辺の延長端を襞部（８）よりも前後内側に位置させ、該延長端側を、上向きに起立させるとともにさらに下向きに折曲げて重ね合せ、該重ね合せ面同士を接着することにより、襞状の起立部（９）を形成した請求項１記載の包装用紙箱。
【請求項３】
係合壁（４）の下端部に下方が開放された上下方向のスリット（１４ａ）を形成し、該スリット（１４ａ）の左右両側の一方が起立部（９）の前後外側に沿うとともに他方が起立部（９）の前後内側に沿うようにして、該スリット（１４ａ）に起立部（９）を差込むことにより、係合壁（４）の下端部を起立部（９）に係脱可能に係合させた請求項２記載の包装用紙箱。
【請求項４】
スリット（１４ａ）を左右に並べて複数形成した請求項３記載の包装用紙箱。
【請求項５】
係合壁（４）の下部を内面側に折重ねて襞部（１４）を形成した請求項１乃至４の何れかに記載の包装用紙箱。
【請求項６】
前後壁（４，４）の連接部（１３）に左右方向の折目（１７，１７）を介して把手部（６）を一体的に連接形成するとともに、折目（１３ａ）を介して連接部（１３）の前後内面同士を重ね合せて接着固定し、該把手部（６）の左右両端側に左右壁（３，３）の上部を係脱可能に係合させた請求項１乃至５の何れかに記載の包装用紙箱。
【請求項７】
前後壁（４，４）の両方をそれぞれ係合壁とし、該前後の係合壁（４，４）を底板（２）の前後辺にそれぞれ係合させた請求項１乃至６の何れかに記載の包装用紙箱。
【請求項８】
前後壁（４，４）の何れか一方を係合壁とするとともに他方を連接壁とし、係合壁（４）を底板（２）の前後辺の一方に係合させるとともに、連接壁（４）を底板（２）の前後辺の他方に折目（２２）を介して連接させた請求項１乃至６の何れかに記載の包装用紙箱。
【考案の詳細な説明】
【技術分野】
【０００１】
この考案は、包装用紙箱に関する。
【背景技術】
【０００２】
方形状の底板と、底板の四辺から底板上方を覆う４つの周壁を備え、向い合う一対の周壁である左右壁を、底板の左右辺にそれぞれ折目を介して連設し、向い合う他の一対の周壁である前後壁を、互いの上端側同士が連接されるように形成し、該前後壁の少なくとも一方である係合壁の下端部を係脱可能に底板に係合させ、左右壁を前後壁の連接部側に係脱可能に係合させ、周壁等にカバーされるようにして食品等の対象物を底板上に載せて使用する特許文献１に示す包装用紙箱が公知になっている。
【先行技術文献】
【特許文献】
【０００３】
【特許文献１】実用新案登録第３１６８９５７号公報
【考案の概要】
【考案が解決しようとする課題】
【０００４】
上記文献の包装用紙箱は、前後壁及び底板が一体的に形成されるとともに、左右壁が一体形成され、これらを、板紙を打抜くことによって成形可能であるため、紙の使用量が少なくてすみ、手間も掛からず、製造コストが低減される。
しかし、食品等の対象物が包装された包装用紙箱を持上げる等した際に、底板の係合壁を係合させる側辺の強度が不足して底板が変形する場合があり、使い勝手が悪かった。
【０００５】
本考案は、左右両側の周壁及び底板に一体的に形成されるとともに、前後両側の周壁が一体形成され、前後壁の一方又は両方の周壁である係合壁を、板板の辺に係合させる際、底板の辺部分の強度が十分に確保された包装用紙箱を提供することを課題とする。
【課題を解決するための手段】
【０００６】
上記課題を解決するため第１に、方形状の底板２と、底板２の四辺から底板２上方を覆う４つの周壁３，３，４，４を備え、向い合う一対の周壁３，３である左右壁を、底板２の左右辺にそれぞれ折目７，７を介して連設し、向い合う他の一対の周壁４，４である前後壁を、互いの上端側同士が連接されるように形成し、該前後壁４，４の少なくとも一方である係合壁の下端部を係脱可能に底板２に係合させ、左右壁３，３を前後壁４，４の連接部１３側に係脱可能に係合させた包装用紙箱において、底板２における係合壁４と係合させる側辺を、底板２の上面側に折返して重ね合せて接着することにより補強された襞部８を形成したことを特徴としている。
【０００７】
第２に、前記折返された側辺の延長端を襞部８よりも前後内側に位置させ、該延長端側を、上向きに起立させるとともにさらに下向きに折曲げて重ね合せ、該重ね合せ面同士を接着することにより、襞状の起立部９を形成したことを特徴としている。
【０００８】
第３に、係合壁４の下端部に下方が開放された上下方向のスリット１４ａを形成し、該スリット１４ａの左右両側の一方が起立部９の前後外側に沿うとともに他方が起立部９の前後内側に沿うようにして、該スリット１４ａに起立部９を差込むことにより、係合壁４の下端部を起立部９に係脱可能に係合させたことを特徴としている。
【０００９】
第４に、スリット１４ａを左右に並べて複数形成したことを特徴としている。
【００１０】
第５に、係合壁４の下部を内面側に折重ねて襞部１４を形成したことを特徴としている。
【００１１】
第６に、前後壁４，４の連接部１３に左右方向の折目１７，１７を介して把手部６を一体的に連接形成するとともに、折目１３ａを介して連接部１３の前後内面同士を重ね合せて接着固定し、該把手部６の左右両端側に左右壁３，３の上部を係脱可能に係合させたことを特徴としている。
【００１２】
第７に、前後壁４，４の両方をそれぞれ係合壁とし、該前後の係合壁４，４を底板２の前後辺にそれぞれ係合させたことを特徴としている。
【００１３】
第８に、前後壁４，４の何れか一方を係合壁とするとともに他方を連接壁とし、係合壁４を底板２の前後辺の一方に係合させるとともに、連接壁４を底板２の前後辺の他方に折目２２を介して連接させたことを特徴としている。
【考案の効果】
【００１４】
襞部によって底板における係合壁を係合させる側の辺が補強されるため、係合壁を底板に係脱自在に係合させた場合でも、十分な強度を確保され、食品等の対象物を載置する底板が変形することが防止され、使い勝手が良い。
【００１５】
また、前記折返された側辺の延長端を襞部よりも前後内側に位置させ、該延長端側を、上向きに起立させるとともにさらに下向きに折曲げて重ね合せ、該重ね合せ面同士を接着することにより、襞状の起立部を形成したものによれば、襞状の起立部によって、係合壁を係合させる側の辺の強度がさらに向上する。
【００１６】
また、係合壁の下端部に下方が開放された上下方向のスリットを形成し、該スリットの左右両側の一方が起立部の前後外側に沿うとともに他方が起立部の前後内側に沿うようにして、該スリットに起立部を差込むことにより、係合壁の下端部を起立部に係脱可能に係合させたものによれば、起立部が、強度を向上させる部材と、係合壁を係合させる部材とに兼用されるため、部品点数が少なくてもすみ、構成が簡略化される。
【００１７】
さらに、スリットを左右に並べて複数形成したものによれば、より高い強度で、係合壁を起立部に係合させることが可能になる。
【００１８】
なお、係合壁の下部を内面側に折重ねて襞部を形成したものによれば、係合壁の下部の強度が向上する。
【図面の簡単な説明】
【００１９】
【図１】本発明を適用した包装用紙箱の斜視図である。
【図２】図１に示す包装用紙箱の左右壁の一方を開放させた状態を示す斜視図である。
【図３】（Ａ）は左右壁及び底板の展開図であり、（Ｂ）は前後壁の展開図である。
【図４】前後壁の下端側を底板の起立部に係合させた状態を示す部分側断面図である。
【図５】図１に示す包装用紙箱の変形使用例を示す斜視図である。
【図６】（Ａ），（Ｂ）は包装用紙箱の別実施形態を示す底板側の要部展開図及び前後壁の要部展開図であり、（Ｃ）は底板に前後壁を係合させた状態を示す要部側断面図である。
【図７】（Ａ）は包装用紙箱の別実施形態を示す底板側の要部展開であり、（Ｂ）は底板に前後壁を係合させた状態を示す要部側断面図である。
【図８】包装用紙箱の別実施形態を示す展開図である。
【図９】図８に示す包装用紙箱の変形例を示す展開図である。
【考案を実施するための形態】
【００２０】
図１は、本発明を適用した包装用紙箱の斜視図であり、図２は、図１に示す包装用紙箱の左右壁の一方を開放させた状態を示す斜視図であり、図３（Ａ）は左右壁及び底板の展開図であり、（Ｂ）は前後壁の展開図であり、図４は、前後壁の下端側を底板の起立部に係合させた状態を示す部分側断面図である。
【００２１】
これの図に示す包装用紙箱１は、長方形状又は正方形状（図示する例では左右方向に長い長方形状）の底板２と、底板２の四辺からそれぞれ立上る４つの周壁３，３，４，４と、周壁３，３，４，４の上端側に設けられた把手部６とを備え、底板２から立上った上記４つの周壁３，３，４，４によって、底板２の上方側のスペースＳが囲繞され、このスペースＳが箱内の空間になる。
【００２２】
この４つの周壁３，３，４，４の内、底板２の左右の短辺から立上る一対の周壁が、左右で向い合う左右壁３，３になるとともに、底板２の前後の長辺から立上る一対の周壁が、前後で向い合う左右壁４，４になる。ちなみに、前後壁４，４は、両方ともに、その下端部が底板２の前後辺にそれぞれ係脱自在に係合される係合壁になる。
【００２３】
上記左右壁３，３は、全長方向一端が前後方向の折目７を介して底板２の左右辺と連接される連接端になるととも、他端が自由端になる。すなわち、左右の周壁３，３の下端が、底板２の左右一対の短辺にそれぞれ連設され、これを言換えると、左右の側壁３，３及び底板２は、一体形成される。具体的には、底板２及び左右壁３，３は、フレキシブルに変形可能な一枚の板紙を打抜くことにより、一体形成される。
【００２４】
そして、折目７を介して、左右壁３，３を底板２に対して起立するように折曲げると、該左右の側壁３，３の連接端が下端に位置するとともに自由端が上端に位置した状態になる。
【００２５】
また、左右各側壁３，３は、連接端から自由端に向かって前後幅が徐々に狭くなる形状に成形され、該側壁３の自由端寄り箇所には、該側壁３の全長方向（側壁３を起立させた状態では上下方向）に延びる切込み又は長孔である係合部３ａが形成されている。
【００２６】
さらに詳しい説明をすると、左右壁３，３の前後各縁における連接端寄り部分が、前後方向外側に山形に盛上る円弧状に形成され、左右壁３，３の前後各縁における自由端寄り部分が、上記円弧状部分から連続し且つ先端側に向かって前後方向内側に傾斜した形状に成形され、この傾斜部分には、円弧が複数連続形成された装飾が施されている。左右壁３，３の自由端が、底板２の左右辺に平行な直線状に形成されている。
【００２７】
上記底板２は上記の通り左右壁３，３と一体形成され、この底板２における上記前壁４，４との係合側辺である前後各辺は、左右方向の折目２ａを境に、底板２の上面側に折返されて重ね合せられることにより襞部８を構成している。
【００２８】
これに加えて、底板２における前記折返された側の辺である長辺の端（延長端）が、上記折重ね時、襞部８によりも前後内側に位置するように、展開時における長辺端の前後外側への突出量が設定されており、該折り返られた長辺における壁部８よりも前後内側に位置した部分が、上方に起立するように、左右方向の折目２ｂを介して折曲げられるとともに、さらに、起立させた部分を左右方向の折目２ｃを境に下方に折畳むことによって、該折目２ｃを頂点として二つ折りにされた起立部９を形成している。
【００２９】
言換えると、展開時における底板２の長辺は、左右壁３，３に対して前後外側に延出されており、この展開時における底板２の長辺の前後内寄り部分は、折目２ａを介して二つ折りされることにより襞部８を形成する襞側形成部１１になるとともに、上記展開時における底板２の長辺の前後外寄り部分は、襞側形成部１１との境に形成された折目２ｂを介して上方側に折り曲げられることにより、起立部９を形成する起立側形成部１２になる。
【００３０】
襞側形成部１２及び起立側形成部１１は、前後中央に左右方向の上記折目２ａ，２ｃが配置され、襞側形成部１２及び起立側形成部１１における上記折目２ａ，２ｃを介して二つ折りされて重ね合された面同士は、互いに接着されて貼付される。また、起立側形成部１１は、この折目２ｃを境に対称な形状に成形されている他、組立時における起立部９の上端は、正面視山形に盛上る円弧状に形成されている。
【００３１】
この襞部８及び９によって、底板２における係合壁４，４を係合させる側の辺である前後辺が大幅に補強され、底板２の変形が抑制される。
【００３２】
上記前後壁４，４は、上記左右壁３，３及び底板２とは別体形成され、この前後壁４，４の上端部には、該前後壁４，４同士を連接させる連接部１３が一体形成される。この前後壁４，４の下端側は、底板２の長辺側に係脱自在に係合されるため、前後壁４，４は、底板２側に係合される係合壁として機能する。
【００３３】
この前後の係合壁４，４の左右各縁は、外側に山形に膨出した円弧状に形成されている他、各係合壁４の下部は、左右方向の折目４ａを境に自身の内面側に折重ねされて襞部１４を形成している。この襞部１４には、下方開放側の上下方向に延びるスリット１４ａが、複数（図示する例では２つ）左右に並べて配置形成され、さらに詳しくは、２つのスリット１４ａ，１４ａが各係合壁４の下端部にそれぞれ左右対称配置されている。
【００３４】
なお、展開状態の前後壁４，４の連接部１３と反対側の端部寄り箇所は、上記折目４ａを境に二つ折りされることにより襞部１４を形成する襞形成部１６になり、この襞形成部１６には、該折目４ａを境に対称形状をなす上下方向の長孔１６ａが穿設されており、襞形成部１６が二つ折りされた際、この長孔１６ａも二つ折りされて下方開放型のスリット１４ａを構成する。
【００３５】
この各スリット１４ａに起立部９を挿脱自在に差込み、襞部１４におけるスリット１４ａを境にした左右一方側部分を、起立部９の前後外面側に位置させて沿わせるとともに、襞部１４におけるスリット１４ａを境にした左右他方側部分を、起立部９の前後内面側に位置させて沿わせることにより、底板２の長辺の起立部９に、係合壁４の下端部を係脱自在に係合させて固定している。
【００３６】
すなわち、スリット１４ａの左右両側の一方と他方とを、前後互い違いにして、該スリット１４ａに起立部９を挿入して係合させる。ちなみに、図示する例では、係合壁４下端部の左右一対のスリット１４ａ，１４ａに挟まれた部分を、起立部９の前後外側に位置させるとともに、係合壁４下端部の左右のスリット１４ａ，１４ａよりも左右外側に位置する両側を、起立部９の前後内面側に位置させている。
【００３７】
また、連接部１３は、前後方向中央に形成された左右方向の折目１３ａを境に対称な形状に成形され、折目１３ａを介して連接部１３を山折りして重ね合せ、互いの重ね合せ面同士を接着させることにより、左右方向に延びる上記把手部６を形成している。すなわち、前後両側の周壁４，４と、把手部６とが、フレキシブルに変形可能な一枚の板紙を打抜くことにより、一体形成される。なお、展開時における連結部１３の前後両端には、左右方向の折目１７が形成されており、この折目１７を介して、前後壁４，４が前後外側に折曲げられている。
【００３８】
上記把手部６の左右両端部には、先端が上方左右内側に突出し且つ上方側が開放されたフック部１８がそれぞれ形成され、把手部６における左右のフック部１８，１８の間には、左右方向に長い持ち手孔６ａが穿設されている。この持ち手孔６ａに指を差入れて把手部６を把持することにより、持ち易さを向上させている。
【００３９】
フック部１８は、左右外側に向かって下方に傾斜する上方開放型の上部スリット１８ａによって、その形が成形されている。この他、上部スリット１８ａの延長線下方側には、該延長線に沿う下方開放型のスリット１８ｂが形成されている。把手部６の左右両端部を、左右壁３，３の係合部３ａ，３ａにそれぞれ挿通させ、該係合部３ａの上端を、フック部１８（さらに具体的には上部スリット１８ａ）に引掛けることにより、把手部６の左右両端側が、左右壁３，３の上部に係脱自在に係合される。下部スリット１８ｂは、係合部３ａの下端が挿入されることにより、該係合部３ａに挿通させたフック部１８の上下の可動範囲を広げるものである。
【００４０】
本包装用紙箱１を組立てるには、まず、底板２の前後の長辺に襞部８及び起立部９をそれぞれ折曲げ形成するとともに、前後壁４，４の連接部１３を折目１３ａを介して二つ折りにして貼り合せることにより、把手部６を前後壁４，４に一体的に連接形成する。
【００４１】
そして、連接部１３の両端側に形成された左右方向の折目１７，１７を介して、前後壁４，４を前後外側に折曲げるとともに、前後の起立部９，９に、前後壁４，４下端側のスリット１４ａを差込んで係合させる。
【００４２】
最後に、把手部６の左右両側のフック部１８，１８に、左右壁３，３の係合部３ａ，３ａを引掛けて係合させることにより、組立を完了する。この状態では、左右壁３，３の間に、前後外側に山形をなすように湾曲された前後壁４，４の全体が位置し、該前後壁４，４が側面視左右壁３，３から前後外側に突出しないようになっている。
【００４３】
図５は、図１に示す包装用紙箱の変形使用例を示す斜視図である。同図に示す変形例では、前後壁４，４の下端側を、前後の起立部９，９に係合させるにあたり、係合壁４下端部の左右一対のスリット１４ａ，１４ａに挟まれた部分を、起立部９の前後外面側に位置させるとともに、係合壁４下端部の左右のスリット１４ａ，１４ａよりも左右外側に位置する両側を、起立部９の前後内面側に位置させている。
【００４４】
次に、図６及び図７に基づき、別実施形態について上述の形態と異なる点を説明する。
図６（Ａ），（Ｂ）は包装用紙箱の別実施形態を示す底板側の要部展開図及び前後壁の要部展開図であり、（Ｃ）は底板に前後壁を係合させた状態を示す要部側断面図である。同図に示す例では、底板２における各起立部９の前後内側近傍に、左右方向に長い係合孔１９，１９を左右に一直線状に並べて複数（図示する例では２つ）穿設している。一方、前後壁４，４の下端側には、下方に突出する係合爪２１を、上記係合孔１９と同数分、係合時の係合孔１９と同一の位置に突出形成している。
【００４５】
そして、前後壁４，４の係合爪２１を、係合孔１９に挿脱自在に挿入することにより、前後壁４，４が底板２の前後辺に係脱自在に係合され、この係合爪２１の底板２の下面側から下方に突出した部分を、前後一方側（図示する例では前後外側）に折曲げて抜止めを行う。ちなみに、この係合孔１９への係合爪２１の差込み時、起立部９の前後内側面が、上記挿入を円滑に行わせるガイド面として機能する。
【００４６】
図７（Ａ）は包装用紙箱の別実施形態を示す底板側の要部展開であり、（Ｂ）は底板に前後壁を係合させた状態を示す要部側断面図である。同図に示す通り、係合孔１９を、底板２における各起立部９の前後外側近傍に配置しており、この場合には、この係合孔１９への係合爪２１の差込み時、起立部９の前後外側面が、上記挿入を円滑に行わせるガイド面として機能する。
【００４７】
次に、図８及び図９に基づき、別実施形態について上述の形態と異なる点を説明する。
図８は、包装用紙箱の別実施形態を示す展開図である。上述した形態では、前後壁４，４の前後両方を係合壁とする例について説明したが、同図では、前後壁４，４の前後一方側を係合壁４にするとともに、他方側を連接壁４としている。
【００４８】
そして、係合壁４を、底板２の前後一方側の長辺に係脱自在に係合させるとともに、連結壁４の下端を、左右方向の折目２２を介して、底板２の前後他方側の長辺に一体的に連接させている。すなわち、底板２と、左右壁３，３と、前後壁４，４と、把手部６とが、フレキシブルに変形可能な一枚の板紙を打抜くことにより、一体形成される。ちなみに、係合壁４を係合させる側の長辺には、上述した襞部８及び起立部９が設けられている。
【００４９】
なお、係合壁４の下端部を底板２の長辺側の係合させるにあたり、図示するようにスリット１４ａ及び起立部９を用いてもよいし、図６，７に示すような係合孔１９及び係合爪２１を用いてもよい。
【００５０】
図９は、図８に示す包装用紙箱の変形例を示す展開図である。図８に示す例では、連接壁４が連接される側の長辺には、上述した襞部８が設けられていないが、図９に示す例では、連接壁４が連接される側の長辺にも、上述した襞部８が形成されるように、展開状態における底板２と、連接壁４の折目２２との間に、上述した襞側形成部１１が設けられている。
【符号の説明】
【００５１】
１  包装用紙箱
２  底板
３  左右壁（周壁）
４  前後壁（周壁，係合壁，連接壁）
６  把手部
７  折目
８  襞部
９  起立部
１３  連接部
１３ａ  折目
１４  襞部
１４ａ  スリット
１７  折目
２２  折目
【図１】
0003174249.tif 000003
【図２】
0003174249.tif 000004
【図３】
0003174249.tif 000005
【図４】
0003174249.tif 000006
【図５】
0003174249.tif 000007
【図６】
0003174249.tif 000008
【図７】
0003174249.tif 000009
【図８】
0003174249.tif 000010
【図９】
0003174249.tif 000011